(57)【要約】      （修正有）【課題】防水防汚目的とする靴カバーがあるが素材や構造上の理由により、歩行時の装着性が悪く、カバーが脱着したり、カバーが窮屈で履き心地に違和感がある等の課題がある。加えて、伸縮性と強度の関係から、ひとつカバーの寸法で広範囲な靴のサイズ及び形状に適用させるのは難しい課題がある。このため、歩行時の装着性を改良し、様々なサイズ、形状の靴でも快適に装着することが可能な靴カバーを提供する。【解決手段】伸縮性を有する素材を用い、対象靴の寸法よりも小さく設計し、つま先部カバー２、甲部カバー３、踵部カバー４の構造、靴カバー上部に靴挿入開口部５、靴カバー底部に甲底開口部６と踵底開口部７とを設け、カバー底開口部分に土踏まず部バンド８を設け、つま先部カバー底部と土踏まず部バンドと甲部カバーを係合する係止バンドを配し、一体成形、かつ底部の開口部を広く伸張性を向上させる靴カバー。【選択図】図１
2019217218.tif 000002
【特許請求の範囲】
【請求項１】
革靴や運動靴等（１）に装着される、防水、防汚目的とした靴カバーであって、靴型状のフィルム状の一体成形物であって、伸縮性を有する素材を使用し、前記被覆対象とする革靴や運動靴（１）の寸法よりも小さく設計し、前記靴（１）に対して、つま先部カバー（２）、甲部カバー（３）、踵部カバー（４）の被覆する構造を有し、前記カバー上部に靴（１）の靴挿入開口部（５）と、前記靴カバー底部に甲底開口部（６）と踵底開口部（７）とを設け、前記カバー底開口部分の土踏まず部分に左右両端を係合する土踏まず部バンド（８）を設け、前記つま先部カバー（２）底部と前記土踏まず部バンド（８）と前記甲部カバー（３）の左右両端を係合させた複数の甲底部係止バンド（９）を配した靴カバー。
【請求項２】
靴カバー踵部カバー（４）の被覆部分が靴（１）踵部に密着するよう湾曲にした請求項１の靴カバー。
【請求項３】
靴カバーつま先部カバー（２）底に雨水吸い上げ防止の通気孔（１１）を備えた請求項１の靴カバー。
【発明の詳細な説明】
【技術分野】
【０００１】  本発明は、雨天時の歩行や野外活動の際に使用する簡易防水、防汚靴カバーに関するものである。
【背景技術】
【０００２】  従来、防水、防汚を目的とする靴カバーは、カバーを構成する構造が複数の部材からなるものがあった（特許文献１、特許文献２、特許文献４、実用新案文献５）。
また、靴本来の防滑性を保持するための構造として、底部に開口部を設けているものがあった（特許文献３、特許文献４、実用新案文献５）。
【先行技術文献】
【０００３】
【特許文献】
【特許文献１】特開２０１６−１６８１３８号公報
【特許文献２】特開２００９−４５１８７号公報
【特許文献３】特開平１１−１５５６０１号公報
【特許文献４】実用新案登録案第３１６２９６４号公報
【発明の概要】
【発明が解決しようとする課題】
【０００４】  従来、防水、防汚を目的とする靴カバーには、次のような問題点があった。
（イ）特許文献１、特許文献２、実用新案文献４は、複数の部材で構成されていることと    、被覆材が靴に密着する構造を持っておらず、歩行の際の足、及び、靴の形状変化、    及び、地面との摩擦により、カバーが靴に対し、常に密着した装着性を維持すること    が難しい課題がある。
（ロ）特許文献３等の靴つま先部、及び、靴底前方部分を被覆する構造は、適用可能な靴    のサイズや形状範囲が限られ、無理な装着をすると違和感のある履き心地になってし    まう。
また、踵底部の開口部から靴踵部を露出する仕組みは、運動靴等の靴底が平らな靴    では雨天時に地面からカバー内に吸水してしまう恐れがある。
総じて様々な構造の理由から広範囲なサイズ、及び、様々な形状の靴に密着して装    着可能で、適応範囲の広い靴カバーの設計は難しかった。
（ハ）また、防水性を優先するための、カバー底部の大部分面積をカバーで包囲すること    は、靴本来の防滑性が失われる。
（ニ）また、複数の部材を使用した着脱構造は、カバーの着脱が煩雑である。
本発明は、以上の問題点を解決するものである。
【課題を解決するための手段】
【０００５】  革靴や運動靴等（１）に装着される、防水、防汚目的とした靴カバーであって、靴型状のフィルム状の一体成形物であって、伸縮性を有する素材を使用し、前記被覆対象とする革靴や運動靴（１）の寸法よりも小さく設計し、前記靴（１）に対して、つま先部カバー（２）、甲部カバー（３）、踵部カバー（４）の被覆する構造を有し、前記カバー上部に靴（１）の靴挿入開口部（５）と、前記靴カバー底部に甲底開口部（６）と踵底開口部（７）とを設け、前記カバー底開口部分の土踏まず部分に左右両端を係合する土踏まず部バンド（８）を設け、前記つま先部カバー（２）底部と前記土踏まず部バンド（８）と前記甲部カバー（３）の左右両端を係合させた複数の甲底部係止バンド（９）を配した一体成形で作製する靴カバー。【０００６】  前記靴カバー踵部カバー（４）の被覆部分が靴（１）踵部に密着するよう湾曲に設計された靴カバー。【０００７】  前記靴カバーつま先部カバー（２）底に雨水吸い上げ防止の通気孔（１１）を備えた靴カバー。
【発明の効果】
【０００８】（イ）伸縮性素材を用い、一体成形され、つま先、甲部、踵部を包囲し、靴カバー底部に    複数の開口部と複数のバンドを配した靴カバーは、カバー底部全体を被覆物で包囲し    たものに比べ伸張性に優れ、その固定構造から足、及び、靴の形状が湾曲しても、靴    に対し密着した装着性を保持し、地面との摩擦でカバーがずれたり脱げ落ちない。
（ロ）前記靴カバー底部に複数の開口部構造を配した靴カバーは、カバー底部全体を被覆    物で包囲したものに比べ、靴カバーの伸張率が向上することにより、適応可能な靴の    サイズ、形状が広がる。
また、カバー底部の複数の開口部の開放効果により足に違和感のない履き心地を得    ることができる。
また、カバーつま先底部に通気孔を設けることで、地面からの雨水の吸い込みを防    ぐことができる。
（ハ）前記靴カバーは靴底のカバー底部開口面積を広くすることで、靴本来の防滑性が保    持され、安全な歩行が保てる。
（ニ）前記靴カバーは柔軟で伸縮性を有しているため、靴の上から靴下を履くような感覚    で容易な着脱が可能である。
【図面の簡単な説明】
【０００９】
【図１】  本発明のみの上方から見た正面図である。
【図２】  本発明のみの左側面図である。
【図３】  本発明のみの下方から見ら裏面図である。
【図４】  本発明の靴を装着した状態の斜視図である。
【図５】  本発明の靴を装着した下方から見た裏面図である。
【発明を実施するための形態】
【００１０】（イ）本発明の実施の形態について説明する。
非透水性を持ち、伸縮性を有する素材シリコンやゴムを使用し、主には靴つま先部    、甲部、踵部を被覆し、カバー底部には係止バンドと複数の開口部を備えた靴型形状    のフィルム状成形物にする。
靴カバーの耐久性を考え、膜厚は約５〜８ｍｍ程度とする。
これらの条件で被覆対象とする革靴や運動靴の寸法よりも、約１〜２ｃｍ程度小さ    く設計成形する。
（ロ）前記靴カバー形状の詳細を説明する。
つま先部カバー（２）は、つま先底部から甲部カバー（３）、へと湾曲を描き伸延    し、甲部カバー（３）は、その下方の左右両端から後方踵部カバー（４）へ伸延する    。
踵部カバー（４）の被覆部分は靴（１）踵部に密着するよう湾曲に成形する。
また、踵部カバー（４）の上部には着脱に便利な指先程の大きさの踵取手部（１０    ）を配する。
（ハ）前記靴カバーの開口部、及び、底部バンド部分について説明する。
前記カバー上部には靴を挿入しやすいように、靴前後方に対して、水平に形成され    た半円型の靴（１）の靴挿入開口部（５）を配する。
前記靴カバー底部には踵が露出するように開口部（７）を設け、甲低部には、図２    にあるようなつま先部カバー（２）底部と土踏まず部バンド（８）と甲部カバー（２    ）下方の左右両端を甲底部係止バンド（９）で固定する構造にする。
甲底部係止バンド（９）は、図２のように十字型バンドでも、Ｙ字型でも、開口部    が円型になった形状でもよい。
前記靴カバーの底部開口部面積を大きくすることで靴本来の防滑性を保持する。
（ニ）前記靴カバーつま先部カバー（２）底部前方に地面からの雨水吸引を抑制するため    、直径約４ｍｍ程度の通気孔（１１）を１つ以上設ける。
本発明は、以上の構成で、本発明を使用するときは、靴カバーの上部開口部（５）から靴のつま先部を挿入し、まず、靴本体を靴カバーのつま先部カバー（２）の奥までしっかり挿入する。
その後、踵部カバー（４）を後方に引き伸ばし、靴踵部に被覆し係止させる。
その後、靴カバーの甲部カバー（３）の下方の左右両端が靴ソール部分の左右両端を被覆するようにカバーの位置を微調整する。
靴カバーを脱着するときには、踵取手部（１０）を靴後方に引っ張り、その後、靴底方向にずらし、つま先方向に引き剥がし完了。
使用後、汚れたら水で洗って繰り返し使用できる。
【符号の説明】
【００１１】    １  靴
２  つま先部カバー
３  甲部カバー
４  踵部カバー
５  靴挿入開口部
６  甲底開口部
７  踵底開口部
８  土踏まず部バンド
９  甲底部係止バンド
１０  踵取手部
１１  通気孔
【図１】
2019217218.tif 000003
【図２】
2019217218.tif 000004
【図３】
2019217218.tif 000005
【図４】
2019217218.tif 000006
【図５】
2019217218.tif 000007